(57)【要約】【課題】通帳のように厚みのある媒体を搬送ローラ対で搬送する際に、媒体が搬送ローラ対に突入するときにローラの速度が変化して生じるジッタを防止するとともに、厚みのある媒体や通帳綴じ部が一時的に滞留することなく信頼性高く搬送するという両方の課題を解決可能な媒体搬送装置を実現する。【解決手段】磁気記録媒体を搬送する第一の搬送手段と第二の搬送手段の間に磁気ヘッドを有する媒体搬送装置において、磁気ヘッド及び前記第一の搬送手段の間隔と、磁気ヘッド及び第二の搬送手段の間隔とを、磁気記録媒体の搬送方向の１ページの長さより短く、かつ少なくとも媒体に記録された磁気情報の記録範囲の搬送方向長さより長い範囲に配置し、さらに、磁気ヘッドと搬送方向に同一な位置、あるいはその近傍に磁気記録媒体を搬送する第三の搬送手段を設けた。【選択図】図６
2008262411.tif 000002
【特許請求の範囲】
【請求項１】
磁気情報が記録された磁気記録媒体を搬送し、磁気情報を磁気ヘッド手段により書き込み、あるいは読み取りを行う媒体搬送装置であって、
磁気情報が記載された記録媒体を搬送する搬送方向に少なくとも第一の搬送手段と第二の搬送手段を有し、かつ前記第一の搬送手段と第二の搬送手段の間に磁気ヘッド手段を有する媒体搬送装置において、
前記磁気ヘッドと前記第一の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第二の搬送手段を、磁気記録媒体の搬送方向の１ページの長さより短く、かつ少なくとも媒体に記録された磁気情報の記録範囲の搬送方向長さより長い範囲に配置したことを特徴とする媒体搬送装置。
【請求項２】
磁気情報が記録された磁気記録媒体を搬送し、磁気情報を磁気ヘッド手段により書き込み、あるいは読み取りを行う媒体搬送装置であって、
磁気情報が記載された記録媒体を搬送する搬送方向に少なくとも第一の搬送手段と第二の搬送手段を有し、かつ前記第一の搬送手段と第二の搬送手段の間に磁気ヘッド手段を有する媒体搬送装置において、
前記磁気ヘッドと前記第一の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第二の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第一の搬送手段の間、または前記磁気ヘッドと前記第二の搬送手段の間の少なくともいずれか一方に、開放機能を有する媒体の搬送手段を設けたことを特徴とする媒体搬送装置。
【請求項３】
磁気情報が記録された記録媒体を搬送し、磁気情報を書き込み、あるいは読み取りを行う媒体搬送装置であって、
記録媒体に記録された磁気情報の読み取りや書き込みを行う磁気ヘッドと、
前記磁気ヘッドの位置より、記録媒体を搬送する搬送方向の上流側に、記録媒体の搬送方向の１ページの長さより短く、かつ少なくとも記録媒体に記録された磁気情報の記録範囲の搬送方向長さより長い範囲に配置された第一のローラ対と、
前記磁気ヘッドの位置より、記録媒体を搬送する搬送方向の下流側に、記録媒体の搬送方向の１ページの長さより短く、かつ少なくとも媒体に記録された磁気情報の記録範囲の搬送方向長さより長い範囲に配置された第二のローラ対と、
を備えることを特徴とする媒体搬送装置。
【請求項４】
前記第一のローラ対と前記第二のローラ対との間に、第三のローラ対を備えたことを特徴とする請求項３に記載の媒体搬送装置。
【請求項５】
前記第三のローラ対が、搬送方向に関し前記前記磁気ヘッドの位置と同じ位置に設けられていることを特徴とする請求項４に記載の媒体搬送装置。
【請求項６】
前記第三のローラ対が、搬送方向に関し前記前記磁気ヘッドの位置より前記第一のローラ対側、または前記第二のローラ対側の近傍のずれた位置に設けられていることを特徴とする請求項４に記載の媒体搬送装置。
【請求項７】
前記第一のローラ対と前記第三のローラ対との間に、その回転軸が連結部材を介してソレノイドに連結された第四のローラ対を備え、
記録媒体の変形を抑制する機能を有する構成となっていることを特徴とする請求項３に記載の媒体搬送装置。
【請求項８】
前記第一のローラ対と前記第二のローラ対は、それぞれ駆動ローラと従動ローラから構成され、前記従動ローラがそれぞれ弾性手段と連結されていることを特徴とする請求項３に記載の媒体搬送装置。
【請求項９】
前記第一のローラ対と前記第二のローラ対は、それぞれ駆動ローラと従動ローラから構成され、前記駆動ローラがそれぞれ弾性手段と連結されていることを特徴とする請求項３に記載の媒体搬送装置。
【請求項１０】
記録媒体を搬送する第一の搬送手段と第二の搬送手段の間に磁気ヘッドを有する媒体搬送装置において、
前記磁気ヘッド及び前記第一の搬送手段の間隔と、前記磁気ヘッド及び第二の搬送手段の間隔とを、記録媒体の搬送方向の１ページの長さより短く、かつ少なくとも媒体に記録された磁気情報の記録範囲の搬送方向長さより長い範囲に配置し、さらに、前記磁気ヘッドと搬送方向に同一な位置、あるいはその近傍に記録媒体を搬送する第三の搬送手段を設けることにより、ジッタの防止と搬送の信頼性を確保したことを特徴とする媒体搬送装置。
【発明の詳細な説明】
【技術分野】
【０００１】
本発明は、磁気ストライプが記録された磁気記録媒体を搬送すると共に、磁気ストライプ情報を、磁気ヘッド手段により書き込みあるいは読み取りを行う媒体搬送装置に関する。
【背景技術】
【０００２】
近年、金融機関のオンライン化に伴い、自動端末機の機能向上が著しい。例えば、紙幣の入出金処理装置では、口座に入金されている金額や入出金取引情報を記録する通帳プリンタが搭載されている。通帳の表紙には、磁気ストライプによる磁気情報が記録されている。通帳プリンタでは、この通帳を搬送機構の搬送ローラで搬送し、搬送機構近傍に設けられた磁気ヘッドで磁気情報の書き込みや読み取りを行う。
【０００３】
この書き込みや読み取り動作の際、通帳の搬送速度が変化するとジッタと呼ばれる記録や読み取りの不良が発生する。このジッタを防止する装置として、下記の特許文献に記載された媒体搬送装置がある。
【０００４】
特許文献１には、通帳のように厚みのある媒体を搬送ローラ対で搬送すると、媒体が搬送ローラ対に突入する際に一時的にローラの速度が変化する現象に関する課題を解決するために、複数組の搬送ローラ対を媒体の搬送方向に配設し、ローラを回転させて媒体を搬送する装置において、搬送ローラ対を搬送媒体の搬送方向の長さの１／ｎ倍（ｎは自然数）の間隔で配置した媒体搬送装置が記載されている。これにより、媒体の先端が搬送ローラ対に突入する際に生じる搬送速度の変動を抑制し搬送むらをなくすことができるものである。
【０００５】
また、特許文献２にも、特許文献１と同様に、磁気ストライプを設けた磁気記録媒体を搬送し、磁気ストライプに対して磁気ヘッドを用いて読み取りや書き込みを行う媒体搬送装置が記載されている。この装置も、磁気記録媒体の先端部が一対の搬送ローラに挿入される際に、媒体が厚みを持っている場合には先端部が搬送ローラに当接して搬送速度が変化し、これにより生じるジッタを防ぐことを目的としたものであり、
磁気ヘッドの配置位置に、一方を駆動ローラとした一対のローラを対向配置した搬送ローラを設け、この搬送ローラで磁気記録媒体を送り出しつつ磁気ヘッドが磁気ストライプに対する情報の読み取りと書き込みを行うことを特徴としたものである。
【０００６】
【特許文献１】特開平５−６９９８１号公報
【特許文献２】特開２００５−５０４０５号公報
【発明の開示】
【発明が解決しようとする課題】
【０００７】
本出願対象となっている、磁気ストライプが記録された磁気記録媒体を搬送し、磁気ストライプ情報を、磁気ヘッド手段により書き込み、あるいは読み取りを行う磁気記録媒体の搬送装置では、上記のジッタの問題と、媒体を搬送する対向したローラの部分を厚みのある媒体や通帳綴じ部が一時的に滞留することなく高信頼に搬送する問題の両方を同時に解決可能な搬送機構が必要となっている。
【０００８】
また、ジッタは、厚みのある媒体が一対のローラに突入するときに、ローラを駆動しているギヤのバックラッシ、タイミングベルトの伸縮などの機構系に関するものや、厚みのある媒体が、搬送ローラ対に突入した際にローラ上下方向の運動によるローラ回転自体の速度変動などが原因と考えられる。したがって、ジッタを根本的に防止するためには、磁気情報読み取り時におけるローラ突入動作を無くすことが必要である。
【０００９】
しかし、上述した特許文献１では、磁気情報の読み取り性能との関係が明確でなく、ジッタを防止するという課題が依然として残る。また、特許文献２においても、磁気情報の読み取り性能と速度変動発生のタイミングとの関係が不明確で、ジッタを防止するという課題に関しては、その解決策が明確ではない。
【００１０】
これに対し、本発明は、上述した課題を解決するために以下のように考える。まずジッタを防止するためには、磁気ストライプ情報を磁気ヘッドで読み取り、あるいは書き込みを行っている状態では、媒体の先端や綴じ部が、媒体を搬送する搬送ローラの位置にこないような搬送方向へのローラ配置とする。
【００１１】
次に、媒体を搬送する対向したローラの部分を厚みのある媒体や通帳綴じ部が一時的に滞留することなく高信頼に搬送するためには、媒体の先端部や綴じ部が搬送ローラに突入する際には、媒体の搬送する方向に配設された他の搬送ローラで媒体を搬送できるようにローラを配置する。
【００１２】
これらの二つの条件を満足するローラ配置とすることで、上述した課題を解決することができる。
【００１３】
本発明の目的は、上述した技術的思想に基づき、ジッタの問題と搬送の高信頼化に関する両方の課題を解決する媒体搬送装置を実現することである。
【課題を解決するための手段】
【００１４】
上記課題を解決するため、本発明は、
磁気情報が記録された磁気記録媒体を搬送し、磁気情報を磁気ヘッド手段により書き込み、あるいは読み取りを行う媒体搬送装置であって、
磁気情報が記載された記録媒体を搬送する搬送方向に少なくとも第一の搬送手段と第二の搬送手段を有し、かつ前記第一の搬送手段と第二の搬送手段の間に磁気ヘッド手段を有する媒体搬送装置において、
前記磁気ヘッドと前記第一の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第二の搬送手段を、磁気記録媒体の搬送方向の１ページの長さより短く、かつ少なくとも媒体に記録された磁気情報の記録範囲の搬送方向長さより長い範囲に配置したことを特徴とする。
【００１５】
また、磁気情報が記録された磁気記録媒体を搬送し、磁気情報を磁気ヘッド手段により書き込み、あるいは読み取りを行う媒体搬送装置であって、
磁気情報が記載された記録媒体を搬送する搬送方向に少なくとも第一の搬送手段と第二の搬送手段を有し、かつ前記第一の搬送手段と第二の搬送手段の間に磁気ヘッド手段を有する媒体搬送装置において、
前記磁気ヘッドと前記第一の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第二の搬送手段を、磁気記録媒体の搬送方向の１ページの長さより短く、かつ少なくとも媒体に記録された磁気情報の記録範囲の搬送方向長さより長い範囲に配置し、
前記磁気ヘッドと前記第一の搬送手段の間、または前記磁気ヘッドと前記第二の搬送手段の間の少なくともいずれか一方に、開放機能を有する媒体の搬送手段を設けたことを特徴とする。
【００１６】
また、磁気情報が記録された記録媒体を搬送し、磁気情報を書き込み、あるいは読み取りを行う媒体搬送装置であって、
記録媒体に記録された磁気情報の読み取りや書き込みを行う磁気ヘッドと、
前記磁気ヘッドの位置より、記録媒体を搬送する搬送方向の上流側に、記録媒体の搬送方向の１ページの長さより短く、かつ少なくとも記録媒体に記録された磁気情報の記録範囲の搬送方向長さより長い範囲に配置された第一のローラ対と、
前記磁気ヘッドの位置より、記録媒体を搬送する搬送方向の下流側に、記録媒体の搬送方向の１ページの長さより短く、かつ少なくとも媒体に記録された磁気情報の記録範囲の搬送方向長さより長い範囲に配置された第二のローラ対と、
を備えることを特徴とする。
【００１７】
また、前記第一のローラ対と前記第二のローラ対との間に、第三のローラ対を備えたことを特徴とする。
【００１８】
また、前記第三のローラ対が、搬送方向に関し前記前記磁気ヘッドの位置と同じ位置に設けられていることを特徴とする。
【００１９】
また、前記第三のローラ対が、搬送方向に関し前記前記磁気ヘッドの位置より前記第一のローラ対側、または前記第二のローラ対側の近傍のずれた位置に設けられていることを特徴とする。
【００２０】
また、前記第一のローラ対と前記第三のローラ対との間に、その回転軸が連結部材を介してソレノイドに連結された第四のローラ対を備え、記録媒体の変形を抑制する機能を有する構成となっていることを特徴とする。
【００２１】
また、前記第一のローラ対と前記第二のローラ対は、それぞれ駆動ローラと従動ローラから構成され、前記従動ローラがそれぞれ弾性手段と連結されていることを特徴とする。
【００２２】
また、前記第一のローラ対と前記第二のローラ対は、それぞれ駆動ローラと従動ローラから構成され、前記駆動ローラがそれぞれ弾性手段と連結されていることを特徴とする。
【００２３】
さらに、記録媒体を搬送する第一の搬送手段と第二の搬送手段の間に磁気ヘッドを有する媒体搬送装置において、
前記磁気ヘッド及び前記第一の搬送手段の間隔と、前記磁気ヘッド及び第二の搬送手段の間隔とを、記録媒体の搬送方向の１ページの長さより短く、かつ少なくとも媒体に記録された磁気情報の記録範囲の搬送方向長さより長い範囲に配置し、さらに、前記磁気ヘッドと搬送方向に同一な位置、あるいはその近傍に記録媒体を搬送する第三の搬送手段を設けることにより、ジッタの防止と搬送の信頼性を確保したことを特徴とする。
【発明の効果】
【００２４】
本発明によれば、磁気ストライプの記録された磁気記録媒体を搬送して、磁気ストライプ情報を、磁気ヘッド手段により書き込みあるいは読み取りを行う際に、ジッタを防止し、かつ媒体搬送信頼性の高い媒体搬送装置を実現できる。
【発明を実施するための最良の形態】
【００２５】
以下に、本発明における実施形態を図面に基づいて説明する。
【実施例１】
【００２６】
図１は、本実施例が適用される通帳プリンタ装置１０００の構成を示したものである。通帳プリンタ１０００は、冊子の形態をとる通帳と、単票と呼ばれるカット紙の２種類の媒体を取り扱うもので、その内部は通帳や単票を搬送する搬送機構１００、取引情報を印字する印字部２００、投入された通帳のページ替えを行うページ替え機構３００から構成される。
【００２７】
通帳プリンタ装置１０００では、顧客あるいは行員により差し込まれた通帳や単票は、印字部２００で印字されるべく搬送機構１００により搬送される。しかし、通帳のあるページに印刷する余白がなくなった場合には、通帳はページ替え機構３００へ搬送され、自動的に新しいページにページ替えされ、再び印字部２００へ搬送され印字作業が行われる。また、上述のような処理の最中には、搬送機構内部に設けられる磁気情報読み取り、書き込み装置４００により通帳の表紙に記録された磁気情報の読み取りや書き込み処理を行う。
【００２８】
この通帳プリンタ装置１０００における課題の一つは、印字を行うため、単票だけでなく、閉じられたり開かれたりした通帳のように、厚さの状態が異なる媒体をジャムが生じないように搬送するとともに、磁気情報の読み取りや書き込み動作時に、通帳の端部や綴じ部が搬送ローラ部を通過する際に生じる速度変動によって発生するジッタと呼ばれる読み取り性能の悪化の両方を防ぐことのできる搬送機構の開発である。
【００２９】
図２と図３は、本実施例が適用される通帳プリンタ装置１０００における搬送機構の一例である。図２、図３に示すように、通帳の搬送機構１００は、通帳１を搬送するために搬送方向へ複数設けられた搬送ローラ対１０、２０、３０、４０、５０、通帳搬送時に通帳の搬送案内を行うガイド６０、通帳１の表紙に記録された磁気情報２の読み取りや書き込みを行う磁気ヘッド３、磁気ヘッド３に通帳を押し付けるための押圧ローラ４を少なくとも有する構成となっている。
【００３０】
通帳を搬送する搬送ローラ対１０、２０、３０、４０、５０は、それぞれ、図示されない駆動源から図示されないギヤやベルトから構成される動力伝達機構を介して回転駆動力が伝達される駆動ローラ１２、２２、３２、４２、５２と、前記駆動ローラに接触対向して取り付けられた従動ローラ１１、２１、３１、４１、５１から構成される。前記従動ローラ１１、２１、３１、４１、５１は、厚さの状態が異なる通帳を搬送するために、それぞれ、ばねといった弾性手段１３、２３、３３、４３、５３と連結されており、この弾性手段の弾性力で、それぞれ、駆動ローラ１２、２２、３２、４２、５２へ接触するように取り付けられている。また、各駆動ローラの表面は、通帳を搬送するために必要な摩擦力が得られるようにゴム材料で被覆されている。さらにガイド６０には、搬送ローラ対１０、２０、３０、４０、５０が配置されているそれぞれの箇所に、切欠が設けられている。
【００３１】
本実施例では、通帳１の表紙に記録された磁気情報の読み取りや書き込みを行う磁気ヘッド３は、図３に示されるように、搬送ローラ対３０と搬送方向に関して同じ位置に取り付けられており、磁気ヘッドで磁気情報を読み取る部分は搬送ローラ対３０の回転軸の搬送方向位置と一致している。また、その幅方向の取り付け位置は、通帳表紙に記録された磁気情報２の位置に対応した位置である。
【００３２】
また、通帳１の表紙に記録された磁気情報２が磁気ヘッド３と密着して正確な読み取りや書き込み動作を行うため、図４に示すように、磁気ヘッド３に接触対向するように押圧ローラ４が取り付けられている。押圧ローラ４もばねのような弾性手段４Ａと連結されており、この弾性手段４Ａの弾性力で磁気ヘッド３へ接触するように取り付けられている。
【００３３】
いま、図５に示すように、通帳１ページの搬送方向の長さをＬ、磁気情報が記録されている範囲の搬送方向長さをｍ、通帳綴じ部と磁気情報が記録されている範囲までの距離をａ、通帳端部と磁気情報が記録されている範囲までの距離をｂとする。なお、ここではａの値はｂ以下である場合を示す。
【００３４】
図６により、搬送ローラ対の搬送位置の関係を説明する。図６に示すように搬送ローラ対３０の上流側の搬送ローラ対を２０、下流側の搬送ローラ対を４０とする。また搬送ローラ対１０と２０の間の軸間距離（搬送方向の間隔）をｄ１、搬送ローラ対２０と３０の間の軸間距離をｄ２、搬送ローラ対３０と４０の間の軸間距離をｄ３、搬送ローラ対４０と５０の間の軸間距離をｄ４とする。本実施例では、すべての軸間距離ｄ１、ｄ２、ｄ３、ｄ４は通帳１ページの長さＬより小さく設定されている。
【００３５】
また搬送ローラ対２０と３０の間の軸間距離ｄ２は、通帳１ページの長さＬより小さく、かつ、前記Ｌから、通帳綴じ部と磁気情報が記録されている範囲までの距離ａを引いた値Ｌ−ａの値より大きな値となっている。さらに、搬送ローラ対３０と４０の間の軸間距離ｄ３は、通帳１ページの長さＬより小さく、かつ、前記Ｌから、通帳端部と磁気情報が記録されている範囲までの距離ｂを引いた値Ｌ−ｂの値より大きな値となっている。
【００３６】
上述したように、通帳の端部や綴じ部が搬送ローラ対に突入する際には、必ず他の搬送ローラ対で通帳が搬送されていることが不可欠である。この条件を満たすためには、各搬送ローラ対の間の軸間距離は通帳１ページの搬送方向の長さＬより小さく設定することが必要である。
【００３７】
上述した寸法関係で搬送ローラ対を配置することで通帳先端、あるいは通帳綴じ部の段差が、搬送ローラ対２０、３０、４０のいずれに突入する場合であっても、突入に必要な搬送力を確保できるため一時的な滞留や搬送ジャムを生じることなく通帳を搬送することができる。また、磁気情報の読み取りや書き込み時には、上述したように通帳の端部や綴じ部が搬送ローラ対を通過しないように配置することが必要である。
【００３８】
このように、上述した寸法関係で搬送ローラ対を構成することで、図７に示すように、磁気情報２の記録範囲が磁気ヘッド３を通過し始める時刻は、通帳先端部は下流側搬送ローラ対４０に突入した後であり、通帳後端は上流側搬送ローラ対２０を通過した後であることがわかる。また、通帳綴じ部Ｃも搬送ローラ対３０を通過した後であることがわかる。
【００３９】
一方、図８に示すように、磁気情報２の記録範囲が磁気ヘッド３を通過し終わる時刻は、下流側の搬送ローラ対４０に通帳の綴じ部Ｃが突入することもないことがわかる。したがって、磁気情報が記録された通帳の表紙の端部や綴じ部が搬送ローラ対に突入する際に発生する搬送速度によって発生するジッタを防止することができる。
【００４０】
また、このような条件としておけば、通帳が逆方向へ搬送される場合でも問題はない。すなわち、逆方向へ搬送される場合、磁気情報２の記録範囲が磁気ヘッド３を通過しはじめる状態は、図８に示される状態であり、図からわかるように、このときは通帳の先端部は搬送ローラ対３０に突入した後であり、通帳の綴じ部Ｃは搬送ローラ対４０を通過した後であることがわかる。
【００４１】
一方、磁気情報２の記録範囲が磁気ヘッド３を通過し終わる時刻は、図７に示した状態と同じであり、搬送ローラ対２０に通帳の先端部が突入することはなく、また通帳の綴じ部が搬送ローラ対３０に突入することもない。
【００４２】
したがって、上記のようなローラ配置としておくことで、どちらの方向へ通帳を搬送しながら磁気情報を読み取りや書き込みを行っても、磁気情報の記録範囲２が磁気ヘッド３を通過している間は、磁気情報が記録された通帳の表紙の端部や綴じ部Ｃが搬送ローラ対に突入する際に発生する搬送速度によって発生するジッタを防止することができる。
【００４３】
上記の例は、ａの値がｂ以下である場合について示したが、ａとｂの大小関係が逆の場合であっても、上述したローラ配置とすることでジッタの防止と搬送の信頼性を確保することができる。
【００４４】
また、ｄ２とｄ３の値を同じ値として搬送ローラ対２０、３０、４０を配置する場合では、ａとｂのいずれか小さい方の値を考慮してローラを配置すればよい。すなわち、例えばａの値がｂよりも小さい場合では、ｄ２とｄ３の寸法は、ともにＬよりも小さく、かつＬ−ａの値より大きな値として搬送ローラ対を配置すればよい。
【００４５】
なお、本実施例では、磁気ヘッド３と搬送ローラ対３０の搬送方向位置が一致している場合について示したので、搬送ローラ対２０と３０の軸間距離ｄ２と、搬送ローラ対３０と４０の軸間距離ｄ３は、磁気ヘッド３とその上流側搬送ローラ対２０との搬送方向距離ｄ２と、搬磁気ヘッド３と下流側搬送ローラ対４０との間の搬送方向距離ｄ３と、それぞれ言い換えることもできる。
【００４６】
また、本実施例では、搬送ローラ対は片側が駆動されるローラの対であって、かつ従動ローラ側に弾性手段を設けてローラが変位する構成としたが、これが駆動ローラ側に弾性手段が設けられて、ローラが変位する搬送ローラ対であっても構わないことはもちろんである。また、ローラの両方が駆動される搬送ローラ対であっても構わない。
【００４７】
本実施例において、例えば図２において、ローラ１１、２１、３１、４１、５１が駆動ローラであってローラ１２、２２、３２、４２、５２が従動ローラである場合、通帳搬送時にジャム（滞留）が発生した場合には従動ローラはそれ自体では回転しないため通帳の印字面を破損し印字済みの情報を不明にする問題はない。また上下ローラの両方を駆動ローラとすることで、装置の構成は複雑となるが搬送する通帳の厚さ方向の変動が大きい場合でも安定して通帳へ搬送力を与えることができる。
【００４８】
このため、磁気ストライプ情報を磁気ヘッドで読み取り、あるいは書き込みを行っている状態では、媒体の先端や綴じ部が、媒体を搬送する搬送ローラの位置にくることはなく、ジッタを防止することが可能となる。また、媒体を搬送する対向したローラの部分へ媒体の先端部や綴じ部が搬送ローラに突入する際には、媒体の搬送する方向に配設された他の搬送ローラで媒体を搬送することが可能である。
【００４９】
この結果、本実施例の構成によれば、磁気ストライプの記録された磁気記録媒体を搬送して、磁気ストライプ情報を、磁気ヘッド手段により書き込みあるいは読み取りを行う際に、ジッタを防止し、かつ媒体搬送信頼性の高い媒体搬送装置を実現できる。
【実施例２】
【００５０】
実施例１では、磁気情報の読み取りや書き込みを行う磁気ヘッド３の搬送方向の位置が、通帳を搬送する一つの搬送ローラの位置と一致する場合であったが、実施例２では、磁気ヘッド３と搬送ローラの位置が異なる場合について示す。図９と図１０は、本実施例が適用される通帳プリンタ装置における搬送機構の一例である。
【００５１】
図９、図１０に示すように、通帳の搬送機構２００は、実施例１に示した通帳の搬送機構１００と同様に、通帳１を搬送するために搬送方向へ複数設けられた搬送ローラ対１０、２０、３０、４０、５０、通帳搬送時に通帳の搬送案内を行うガイド６０、通帳１の表紙に記録された磁気情報２の読み取りや書き込みを行う磁気ヘッド３、磁気ヘッドに通帳を押し付けるための押圧ローラ４を少なくとも有する構成となっている。
【００５２】
通帳を搬送する搬送ローラ対１０、２０、３０、４０、５０は、図示されない駆動源から図示されないギヤやベルトから構成される動力伝達機構を介して回転駆動力が伝達される駆動ローラ１２、２２、３２、４２、５２と、前記駆動ローラに接触対向して取り付けられた従動ローラ１１、２１、３１、４１、５１から構成される。前記従動ローラは、厚さの状態が異なる通帳を搬送するために、ばねといった弾性手段１３、２３、３３、４３、５３と連結されており、この弾性手段の弾性力で、それぞれ、駆動ローラ１２、２２、３２、４２、５２へ接触するように取り付けられている。
【００５３】
また、各駆動ローラの表面は、通帳を搬送するために必要な摩擦力が得られるようにゴム材料で被覆されている。さらにガイド６０には、搬送ローラ対１０、２０、３０、４０、５０が配置されている箇所には、それぞれ切欠が設けられている。
【００５４】
本実施例では、通帳１の表紙に記録された磁気情報の読み取りや書き込みを行う磁気ヘッド３は、図１０に示されるように、搬送ローラ対３０に対して搬送方向に関して、搬送ローラ対４０側へδ１ずれた位置に取り付けられている。その幅方向の取り付け位置は、通帳表紙に記録された磁気情報２の位置に対応した位置である。
【００５５】
また、通帳１の表紙に記録された磁気情報２が磁気ヘッド３と密着して正確な読み取りや書き込み動作を行うため、前述の図４に示すように、磁気ヘッド３に接触対向するように押圧ローラ４が取り付けられている。押圧ローラ４も弾性手段４Ａと連結されており、この弾性手段４Ａの弾性力で磁気ヘッド３へ接触するように取り付けられている。
【００５６】
いま、実施例１の場合と同様に、図５に示すように、通帳１ページの搬送方向の長さをＬ、磁気情報が記録されている範囲の搬送方向長さをｍ、通帳綴じ部と磁気情報が記録されている範囲までの距離をａ、通帳端部と磁気情報が記録されている範囲までの距離をｂとする。なお、ここではａの値はｂ以下である場合を示す。
【００５７】
図１１により、搬送ローラ対、及び磁気ヘッド３の搬送位置の関係を説明する。図に示すように搬送ローラ対３０の上流側の搬送ローラ対を２０、下流側の搬送ローラ対を４０とする。磁気ヘッド３は搬送ローラ対３０に対して下流側の搬送ローラ対４０側へずれて配置されている。
【００５８】
ここで、搬送ローラ対１０と２０の間の軸間距離（搬送方向の間隔）をｄ１、搬送ローラ対２０と３０の間の軸間距離をｄ２、搬送ローラ対３０と４０の間の軸間距離をｄ３、搬送ローラ対４０と５０の間の軸間距離をｄ４とする。また、搬送ローラ対３０と磁気ヘッド３の読み取り部との間隔をδ１とする。
【００５９】
本実施例では、すべての軸間距離ｄ１、ｄ２、ｄ３、ｄ４は通帳１ページの長さＬより小さく設定されている。搬送ローラ対２０と３０の間の軸間距離ｄ２は、通帳１ページの長さＬより小さく、かつ、磁気情報が記録されている範囲の長さｍの値より大きな値となっている。また、搬送ローラ対３０と４０の間の軸間距離ｄ３は、通帳１ページの長さＬより小さく、かつ、前記Ｌから、通帳端部と磁気情報が記録されている範囲までの距離ｂを引いた値Ｌ−ｂの値より大きな値となっている。さらに、磁気ヘッド３と搬送ローラ対３０との間の搬送方向距離δ１は、前記ｂの値より小さな値に設定されている。
【００６０】
このような寸法関係で搬送ローラ対２０、３０、４０と磁気ヘッド３を配置することで通帳先端、あるいは通帳綴じ部の段差が、搬送ローラ対２０、３０、４０のいずれに突入する場合であっても、突入に必要な搬送力を確保できるため一時的な滞留や搬送ジャムを生じることなく通帳を搬送することができる。
【００６１】
また、上述した寸法関係で搬送ローラ対を構成することで、図１２に示すように、磁気情報２の記録範囲が磁気ヘッド３を通過し始める時刻は、通帳先端部は下流側搬送ローラ対４０に突入した後であり、通帳後端は上流側搬送ローラ対２０を通過した後であることがわかる。また、通帳綴じ部Ｃも搬送ローラ対３０を通過した後であることがわかる。
【００６２】
一方、図１３に示すように、磁気情報２の記録範囲が磁気ヘッド３を通過し終わる時刻は、下流側の搬送ローラ対４０に通帳の綴じ部Ｃが突入する前であることがわかる。また通帳後端部も搬送ローラ対３０へ突入することはない。したがって、磁気情報が記録された通帳の表紙の端部や綴じ部が搬送ローラ対に突入する際に発生する搬送速度によって発生するジッタを防止することができる。
【００６３】
このような条件としておけば、通帳が逆方向へ搬送される場合でも問題はない。すなわち、逆方向へ搬送される場合、磁気情報２の記録範囲が磁気ヘッド３を通過しはじめる状態は、図１３に示される状態であり、図からわかるように、このときは通帳の先端部は搬送ローラ対３０に突入した後であり、通帳の綴じ部Ｃは搬送ローラ対４０を通過した後であることがわかる。
【００６４】
一方、磁気情報２の記録範囲が磁気ヘッド３を通過し終わる時刻は、図１２に示した状態と同じであり、搬送ローラ対２０に通帳の先端部が突入することはなく、また通帳の綴じ部Ｃが搬送ローラ対３０に突入することもない。
【００６５】
したがって、上述したローラ配置としておくことで、どちらの方向へ通帳を搬送しながら磁気情報を読み取りや書き込みを行っても、磁気情報の記録範囲２が磁気ヘッド３を通過している間は、磁気情報が記録された通帳の表紙の端部や綴じ部が搬送ローラ対に突入する際に発生する搬送速度によって発生するジッタを防止することができる。
【００６６】
次に、磁気ヘッド３が搬送ローラ対３０に対して上流側の搬送ローラ対２０側へずれて配置された場合を考える。搬送機構の構成の説明は、ヘッドの位置関係を除いて図８、図９などに示したものと同じであるため省略する。
【００６７】
ここで、図１４に示すように、搬送ローラ対１０と２０の間の軸間距離（搬送方向の間隔）をｄ１、搬送ローラ対２０と３０の間の軸間距離をｄ２、搬送ローラ対３０と４０の間の軸間距離をｄ３、搬送ローラ対４０と５０の間の軸間距離をｄ４とする。また、搬送ローラ対３０と磁気ヘッド３の読み取り部との間隔をδ２とする。
【００６８】
本実施例では、すべての軸間距離ｄ１、ｄ２、ｄ３、ｄ４は通帳１ページの長さＬより小さく設定されている。また、磁気ヘッド３と搬送ローラ対３０との間の搬送方向距離δ２は、通帳綴じ部と磁気情報が記録されている範囲までの距離ａの値より小さな値に設定されている。
【００６９】
磁気ヘッド３との搬送ローラ対２０の間の距離ｄ５は、通帳１ページの長さＬより小さく、かつ、通帳の磁気情報が記録されている範囲の長さｍと、通帳端部と磁気情報が記録されている範囲までの距離ｂを足し合わせた値ｍ＋ｂの値より大きな値となっている。また、搬送ローラ対３０と４０の間の軸間距離ｄ３は、Ｌの値より小さく、かつ磁気情報が記録されている範囲の長さｍの値より大きい値で設定されている。
【００７０】
上述した寸法関係で搬送ローラ対２０、３０、４０と磁気ヘッド３を配置することで通帳先端、あるいは通帳綴じ部の段差が、搬送ローラ対２０、３０、４０のいずれに突入する場合であっても、突入に必要な搬送力を確保できるため一時的な滞留や搬送ジャムを生じることなく通帳を搬送することができる。
【００７１】
また、上述した寸法関係で搬送ローラ対を構成することで、図１５に示すように、磁気情報２の記録範囲が磁気ヘッド３を通過し始める時刻は、通帳先端部は下流側搬送ローラ対４０に突入した後であり、通帳後端は上流側搬送ローラ対２０を通過した後であることがわかる。また、通帳綴じ部Ｃも搬送ローラ対３０を通過した後であることがわかる。
【００７２】
一方、図１６に示すように、磁気情報２の記録範囲が磁気ヘッド３を通過し終わる時刻は、下流側の搬送ローラ対４０に通帳の綴じ部Ｃが突入することもないことがわかる。また通帳後端部も搬送ローラ対３０へ突入することはない。したがって、磁気情報が記録された通帳の表紙の端部や綴じ部が搬送ローラ対に突入する際に発生する搬送速度によって発生するジッタを防止することができる。
【００７３】
上述の条件としておけば、通帳が逆方向へ搬送される場合でも問題はない。すなわち、逆方向へ搬送される場合、磁気情報２の記録範囲が磁気ヘッド３を通過しはじめる状態は、図１６に示される状態と同じであり、図からわかるように、このときは通帳の先端部は搬送ローラ対３０に突入した後であり、通帳の綴じ部Ｃは搬送ローラ対４０を通過した後であることがわかる。
【００７４】
一方、磁気情報２の記録範囲が磁気ヘッド３を通過し終わる時刻は、図１５に示した状態と同じであり、搬送ローラ対２０に通帳の先端部が突入することはなく、また通帳の綴じ部Ｃが搬送ローラ対３０に突入することもない。したがって、上記のようなローラ配置としておくことで、どちらの方向へ通帳を搬送しながら磁気情報を読み取りや書き込みを行っても、磁気情報の記録範囲２が磁気ヘッド３を通過している間は、磁気情報が記録された通帳の表紙の端部や綴じ部が搬送ローラ対に突入する際に発生する搬送速度によって発生するジッタを防止することができる。
【００７５】
上記の例は、ａの値がｂ以下である場合について示したが、ａとｂの大小関係が逆の場合であっても、上述したローラ配置とすることでジッタの防止と搬送の信頼性を確保することができる。
【００７６】
また、ｄ２とｄ３の値を同じ値として搬送ローラ対２０、３０、４０を配置する場合では、ａとｂのいずれか小さい方の値を考慮してローラを配置すればよい。すなわち、例えばａの値がｂよりも小さい場合では、ｄ２とｄ３の寸法は、ともにＬよりも小さく、かつＬ−ａの値より大きな値となるように設定すればよい。
【００７７】
このように構成することにより、磁気ヘッド３が、通帳に図４に示したｂの値が存在する場合には、δ１がｂの範囲内で搬送ローラ３０からずらすことが可能となるため、磁気ヘッド３の実装範囲の自由度を増やすことができる。また磁気ヘッド３とローラ３０の位置を一致させる場合でもこの範囲に入るのであれば位置調整の必要もない。
【００７８】
また、本実施例では、搬送ローラ対は片側が駆動されるローラの対であって、かつ従動ローラ側に弾性部材を設けてローラが変位する構成としたが、これが駆動ローラ側に弾性部材が設けられてローラが変位する搬送ローラ対であっても構わないことはもちろんである。また、ローラの両方が駆動される搬送ローラ対であっても構わない。
【００７９】
以上、説明したように、本実施例の構成によれば、実施例１と同様な効果に加え、磁気ヘッドの実装範囲の自由度を増やすことができるという効果を奏する。
【００８０】
この結果、磁気ストライプの記録された磁気記録媒体を搬送して、磁気ストライプ情報を、磁気ヘッド手段により書き込みあるいは読み取りを行う際に、ジッタを防止し、かつ媒体搬送信頼性の高い媒体搬送装置を実現できる。
【実施例３】
【００８１】
実施例３は、上述した実施例で示したような、磁気情報が記録された媒体の搬送において磁気情報の読み取りや書き込み動作中に、媒体の端部や綴じ部が磁気ヘッド近傍の搬送ローラ部を通過することによって生じる速度変動によるジッタを防ぐことと高信頼搬送の両立を目的とした搬送ローラ手段の他に、さらに通帳の変形を抑制する機能を有する別の搬送ローラ対を配置したことを特徴とするものである。
【００８２】
図１７は、搬送ローラ対２０と３０の間に、通帳の変形を抑制する機能を有する搬送ローラ対７０が配置された媒体搬送装置を示す。図１７に示すように、この媒体搬送機構３００は、通帳１を搬送するために搬送方向へ複数設けられた搬送ローラの対１０、２０、３０、４０、５０、通帳搬送時に通帳の搬送案内を行うガイド６０、通帳１の表紙に記録された磁気情報２の読み取りや書き込みを行う磁気ヘッド３、磁気ヘッドに通帳を押し付けるための押圧ローラ４、そして前述のように搬送ローラ対２０と３０の間に通帳の変形を抑制する機能を有する搬送ローラ対７０を少なくとも有する構成となっている。
【００８３】
通帳を搬送する搬送ローラ対１０、２０、３０、４０、５０、７０は、図示されない駆動源から図示されないギヤやベルトから構成される動力伝達機構を介して回転駆動力が伝達される駆動ローラ１２、２２、３２、４２、５２、７２と、前記駆動ローラに接触対向して取り付けられた従動ローラ１１、２１、３１、４１、５１、７１から構成される。前記従動ローラ１１、２１、３１、４１、５１、７１は、厚さの状態が異なる通帳を搬送するために、ばねといった弾性手段１３、２３、３３、４３、５３、７３と連結されており、このばね手段の弾性力で駆動ローラ１２、２２、３２、４２、５２、７２へ、それぞれ、接触するように取り付けられている。
【００８４】
また、各駆動ローラの表面は、通帳を搬送するために必要な摩擦力が得られるようにゴム材料で被覆されている。さらにガイド６０には、搬送ローラ対１０、２０、３０、４０、５０、７０が配置されている箇所には、それぞれ切欠が設けられている。
【００８５】
搬送ローラ対７０における従動ローラ７１の回転軸は、連結部材７４と連結されている。連結部材７４は回転軸７５を中心に回転するように取り付けられており、このソレノイド８０に連結されている。そしてソレノイド８０が駆動されることで搬送ガイド６０の面から従動ローラ７１が退避して駆動ローラ７２との間の接触をなくし、通帳に搬送力が作用しないような構造となっている。
【００８６】
本実施例では、通帳１の表紙に記録された磁気情報の読み取りや書き込みを行う磁気ヘッド３は、図１７に示されるように、搬送ローラ対３０と搬送方向に関して同じ位置に取り付けられており、磁気ヘッドで磁気情報を読み取る部分は搬送ローラ対３０の回転軸の搬送方向位置と一致している。
【００８７】
また、その幅方向の取り付け位置は、通帳表紙に記録された磁気情報２の位置に対応した位置である。また、通帳１の表紙に記録された磁気情報２が磁気ヘッド３と密着して正確な読み取りや書き込み動作を行うため、図４に示すように、磁気ヘッド３に接触対向するように押圧ローラ４が取り付けられている。押圧ローラ４もばね手段４Ａと連結されており、このばね手段の弾性力で磁気ヘッド３へ接触するように取り付けられている。
【００８８】
ここでは、通帳の寸法条件や搬送ローラ対７０以外の搬送ローラ対の位置関係は、図５と図６に示したものと同じであるので省略する。また軸間距離の設定も実施例１に示したものと同じである。
【００８９】
本実施例において、通帳１の綴じ部が搬送ローラ３０に突入する際に強い搬送力が必要であり、通帳の変形を抑制する効果をも有する搬送ローラ７０が取り付けられている。この搬送ローラ７０は、通常は駆動ローラ７１と従動ローラ７２が対向接触しており、通帳へ搬送力を作用させている。これにより、通帳の綴じ部が搬送ローラ３０へ突入する場合であっても十分な搬送力が得られ、通帳をジャムすることなく搬送することが可能である。
【００９０】
しかし、搬送ローラ３０の軸位置からＬだけ離れた位置に設けられた通帳通過を検知する通過センサ９０が、通帳の通過を検出するとこの信号が図示されない制御部へ送られ、図１８に示すように制御部はソレノイド８０を駆動して駆動ローラ７１を搬送ガイド６０の面より下側へ退避させる。
【００９１】
この退避動作が終了した後、磁気情報が記録された範囲２が磁気ヘッド３部へ到達する。その後の動作は、実施例１で示したものと同じである。
【００９２】
このようにローラ対７０を設けることで通帳がローラ対３０にかみ込まれる際の搬送力を増大させることができる。また通帳が磁気ヘッド３部を接触して通過する際に通帳と磁気ヘッド３との間に摩擦力が作用しても搬送力が十分であるため搬送遅れの可能性を低くすることができる。またこの摩擦力によって発生しやすくなる通帳の搬送方向の傾き（スキュー）も、通帳に対するローラの挟持点が多くなるため防止する効果も得られる。
【００９３】
以上述べたように、本実施例によれば、磁気ヘッド近傍の搬送ローラを、通帳の端部や綴じ部が通過する際に開放して速度変動をなくすことにより、実施例１で述べた効果に加え、磁気情報が記録された通帳の表紙の端部や綴じ部が搬送ローラ対に突入する際に発生する搬送速度によって発生するジッタをより防止することができる。
【００９４】
この結果、本実施例の構成によれば、磁気ストライプの記録された磁気記録媒体を搬送して、磁気ストライプ情報を、磁気ヘッド手段により書き込みあるいは読み取りを行う際に、ジッタを防止し、かつ媒体搬送信頼性の高い媒体搬送装置を実現できる。
【図面の簡単な説明】
【００９５】
【図１】本実施例が適用される通帳プリンタの構成を示す構成図。
【図２】実施例１の構成を示す横断面構成図。
【図３】実施例１の構成を示す平面構成図。
【図４】実施例１に係る磁気ヘッド部の構成を示す横断面構成図。
【図５】通帳の寸法と磁気記録範囲を示す説明図。
【図６】実施例１におけるローラ配置を示す平面構成図。
【図７】実施例１における通帳の記録範囲が通過し始めるときの通帳とローラの位置関係を示す説明図。
【図８】実施例１における通帳の記録範囲が通過し終わるときの通帳とローラの位置関係を示す説明図。
【図９】実施例２の構成を示す横断面構成図。
【図１０】実施例２の構成を示す平面構成図。
【図１１】実施例２におけるローラ配置を示す平面構成図。
【図１２】実施例２における通帳の記録範囲が通過し始めるときの通帳とローラの位置関係を示す説明図。
【図１３】実施例２における通帳の記録範囲が通過し終わるときの通帳とローラの位置関係を示す説明図。
【図１４】実施例２の変形例におけるローラ配置を示す平面構成図。
【図１５】実施例２の変形例における通帳の記録範囲が通過し始めるときの通帳とローラの位置関係を示す説明図。
【図１６】実施例２の変形例における通帳の記録範囲が通過し終わるときの通帳とローラの位置関係を示す説明図。
【図１７】実施例３の構成を示す横断面構成図（ソレノイド不作動時）。
【図１８】実施例３の構成を示す横断面構成図（ソレノイド作動時）。
【符号の説明】
【００９６】
１…通帳、２…磁気情報、３…磁気ヘッド、４…押圧ローラ、１０、２０、３０、４０、５０、７０…搬送ローラ対、１１、２１、３１、４１、５１、７１…従動ローラ、１２、２２、３２、４２、５２、７２…駆動ローラ、４Ａ、１３、２３、３３、４３、５３…弾性手段、６０…ガイド、７０…開放動作型搬送ローラ、８０…ソレノイド、９０…通過センサ、１００…搬送機構、２００…印字部、３００…ページ替え機構、４００…書き込み装置、１０００…通帳プリンタ装置。
【図１】
2008262411.tif 000003
【図２】
2008262411.tif 000004
【図３】
2008262411.tif 000005
【図４】
2008262411.tif 000006
【図５】
2008262411.tif 000007
【図６】
2008262411.tif 000008
【図７】
2008262411.tif 000009
【図８】
2008262411.tif 000010
【図９】
2008262411.tif 000011
【図１０】
2008262411.tif 000012
【図１１】
2008262411.tif 000013
【図１２】
2008262411.tif 000014
【図１３】
2008262411.tif 000015
【図１４】
2008262411.tif 000016
【図１５】
2008262411.tif 000017
【図１６】
2008262411.tif 000018
【図１７】
2008262411.tif 000019
【図１８】
2008262411.tif 000020